Podtech/llm-jp-corpus-v4-ja_patent huggingface dataset:
(57)【要約】      （修正有）【課題】投げつりや波止つりにおいて釣れる海毛虫を容易に安全に外す海毛虫外し具を提供する。【解決手段】９０度に折り曲げられた硬質材の外し板２と安全遮蔽板４とでなる。外し板２に、斜めのハリスを導入する為の平行切溝２Ａを設け、更にその中央部より斜め切溝２Ｂを奥に行くにつれて徐々に広がるように加工する。【選択図】図１
0003168655.tif 000002
【実用新案登録請求の範囲】
【請求項１】
ほぼ９０度に折り曲げられた硬質材の外し板と安全遮蔽板とでなる海毛虫外し具であって、前記外し板に角度を持って形成されたハリスを導入する平行切溝２Ａ）と斜め切溝（２Ｂ）があり、その斜め切溝の幅が奥に向かって徐々に広くなっていて且つ一端には持ち手（５）が設けられた海毛虫外し具。
【考案の詳細な説明】
【技術分野】
【０００１】
本考案は如何にして容易に且つ安全に海毛虫を釣り針より外す事に関するものものである。
【背景技術】
【０００２】
従来海毛虫は日本海で投げ釣りをした際、たまに釣れて来る位であった。しかし近年では太平洋側や瀬戸内海でも釣れて来る様になった。海産のゴカイの1種で体は紫褐色の紡錘小判型で成虫の長さは８ｃｍにもなる。40程度ある環節の側面に多数の剛毛を持ち毛虫状で各地浅海で生息している。
【０００３】
海毛虫が動物や人間の皮膚などに触れると生えている剛毛が皮膚に突き刺さり折れてしまい痛みを感じ又その剛毛は衣類なども貫通して突き刺さる。そしてその痛みはなかなか治まらない。
【０００４】
時にして海毛虫が釣れて来た場合小さい海毛虫（釣り針が海毛虫の体を貫通せず咥えた状態）の場合は真水を海毛虫に直接浴びせると釣り針から外れ下に落下する。
【０００５】
時にして海毛虫の大きなものが（海毛虫の腹部より釣り針が突き出ている場合）釣れてきた時等は足で踏んで爪先の所で無理やり引っ張って外すが海毛虫の内臓が釣り針に引っ掛かったままの状態になりその内臓を外すのにはペンチ等で挟んで外さなければならず手返しの時間がかかりすぎ釣り時間の無駄になる。
【０００６】
又、海毛虫を外した後も釣り針に餌が残っていた場合その餌にも海毛虫の剛毛が刺さっており手などで外そうとするとその海毛虫の剛毛が手に刺さり大変危険である。
【考案の概要】
【考案が解決しようとする課題】
【０００７】
本考案は魚釣りにおいて釣れて来た大変危険な海毛虫を安全に且つ容易に釣り  針より外し人体の危険を回避し安全に釣りを楽しむ為になされたものである。
【課題を解決するための手段】
【０００８】
ステンレス板やプラスチック板または合成樹脂板等変形等しない丈夫な素材にて断面がＬ型に加工して外し板と安全遮蔽板を形成し外し板に斜めにハリスを導入する為のガイド溝を設け連続して外し溝を設けその外し溝は奥に行くにつれて徐々に広がるように加工した。
【０００９】
上述の丈夫な材料を用いて製作した本体に木や合成樹脂等の材料を用いてもち手を装着し取り扱いが容易に出来る物とする。
【００１０】
この考案に寄れば海毛虫が釣れて来た場合容易に且つ安全に海毛虫を外す事により釣り時間も無駄にすることなく釣りを楽しむことができる。
【図面の簡単な説明】
【００１１】
【図１】本考案の海毛虫外し具の斜視図である。
【図２】本考案の外し板と安全遮蔽板の斜視図。
【図３】本考案の正面図である。
【図４】本考案の側面図である。
【考案を実施するための形態】
【実施例】
【００１２】
以下添付図面に従って実施例をせつめいする。
図１、図２、図３、において１はさびない又、変形しないステンレス板やプラスチック板又は合成樹脂等適宜素材にて一体化形成された海毛虫外し本体２は海毛虫はずし板、２Ａはハリスを沿わして通過させるガイド溝、２Ｂは奥に行くにつれて徐々に広がり更に斜めに開口された外し溝、３はもち手接続部、４は安全遮蔽板、５は持ち手、６はガイド溝と外し溝の境界部、７は本体１と持ち手５を固定する固定紐である。
【００１３】
海毛虫が釣り針に掛かったらハリスを手で持ち海毛虫をぶら下げた状態でハリスを開口部よりガイド溝２Ａに沿わし外し溝２Ｂまでガイドしガイド溝２Ｂの方向に移動させ、更に図１・２Ｂの外し溝の中で釣り針の懐に見合った位置に移動させハリスを上に強く引っ張る。
【００１４】
ハリスが外し溝２Ｂを通過し更にチモトが通過したら釣り針の湾曲に沿わし安全遮蔽板４の方向に引っ張る。
【００１５】
釣り針が外し溝２Ｂを通過したら手又はペンチ等の挟むもので釣り針を挟んで外す。
【００１６】
この状態の時にはもう既に海毛虫と海毛虫の剛毛が突き刺さった釣り餌は釣り針より外れ下部に落下している。
【符号の説明】
【００１７】
１    本体
２    外し板
２Ａ  ガイド溝
２Ｂ  外し溝
３    持ち手接続部
４    安全遮蔽板
５    持ち手
６    ガイド溝と外し溝の境界部
７    固定紐
【図１】
0003168655.tif 000003
【図２】
0003168655.tif 000004
【図３】
0003168655.tif 000005
【図４】
0003168655.tif 000006
(57)【要約】      （修正有）【課題】耳つぼの分布に合わせて球状の粒をシール上に配し、長時間耳つぼを刺激できる様にした耳つぼ刺激シールを提供する。【解決手段】樹脂シール１の上に天然石２を接着剤３で接着し、樹脂シール１の下に粘着剤４を塗布し、その粘着剤４には、耳ツボを刺激するための、大きさの径が０．１ｍｍ〜０．５ｍｍの一つ又は複数個の金、チタン、又はガラス玉の球状の粒５を貼り付け、さらに粘着剤４で耳の表面のツボに貼るようにして耳ツボ刺激シールを形成する。【選択図】図１
0003168645.tif 000002
【実用新案登録請求の範囲】
【請求項１】
樹脂シール１の上に天然石２を接着剤３で接着し、樹脂シール１の下に粘着剤４を塗布し、その粘着剤４には、耳ツボを刺激するための、大きさの径が０．１ｍｍ〜０．５ｍｍの一つ又は複数個の金、チタン、又はガラス玉の球状の粒を貼った耳ツボ刺激シールであって、その耳ツボ刺激シールを、粒が耳の表面のツボに当たるように粘着剤４で貼るようにしたことを特徴とする耳ツボ刺激シール。
【請求項２】
耳全体の形状とし、耳全体の耳ツボの分布にあわせて、大きさの径が０．１ｍｍ〜０．５ｍｍの複数個の金、チタン又はガラス玉の球状の粒を配置したことを特徴とする請求項１に記載の耳ツボ刺激シール。
【請求項３】
粒の先端を切って、その切断面を粘着剤４で樹脂シール１と接着させることで、粒が樹脂シール１から剥がれにくくしたことを特徴とする請求項１又は請求項２に記載の耳ツボ刺激シール。
【考案の詳細な説明】
【技術分野】
【０００１】本考案は、耳ツボを刺激するために耳ツボ刺激シールに関する。
【背景技術】
【０００２】従来は、特許文献１のように、棒状の先端やクリップで、耳ツボを押すことで刺激していた。
【先行技術文献】
【特許文献】
【０００３】
【特許文献１】特開平８−１０３４８３公報
【考案の概要】
【考案が解決しようとする課題】
【０００４】１）硬い棒状の先端で押して刺激したときだけしか効果がなく、長時間、刺激できない。
２）クリップで押圧して刺激する方法があるが、形状が大きく目立ちすぎる。
【課題を解決するための手段】
【０００５】樹脂シール１の上に天然石２を接着剤３で接着し、樹脂シール１の下に粘着剤４を塗布し、その粘着剤４には、耳ツボを刺激するための、大きさの径が０．１ｍｍ〜０．５ｍｍの一つ又は複数個の金、チタン、又はガラス玉の球状の粒を貼った耳ツボ刺激シールであって、その耳ツボ刺激シールを、粒が耳の表面のツボに当たるように粘着剤４で貼るようにしたことを特徴とする耳ツボ刺激シール。【０００６】耳全体の形状とし、耳全体の耳ツボの分布にあわせて、大きさの径が０．１ｍｍ〜０．５ｍｍの複数個の金、チタン又はガラス玉の球状の粒を配置したことを特徴とする耳ツボ刺激シール。【０００７】粒の先端を切って、その切断面を粘着剤４で樹脂シール１と接着させることで、粒が樹脂シール１から剥がれにくくしたことを特徴とする耳ツボ刺激シール。【０００８】耳ツボを長時間、刺激でき、天然石がついているので見栄えがよい。
【図面の簡単な説明】
【０００９】
【図１】本考案の耳ツボ刺激シールの構成
【図２】本考案の耳ツボ刺激シールの形状  （ａ）耳全体  （ｂ）耳の部分型  （ｃ）耳の一点型
【図３】耳ツボの法則
【考案を実施するための形態】
【００１０】本考案の耳ツボ刺激シールについて図１から図３で説明する。
図１は、本考案の耳ツボ刺激シールの構成である。
本考案の耳ツボ刺激シールは、樹脂シール１と、その上に接着剤３で貼られた天然石２と、樹脂シール１の下一面に塗布された粘着剤４と、その粘着剤４に、一つ又は複数個、貼られた耳ツボを刺激するための大きさの径が０．１ｍｍ〜０．５ｍｍの金、チタン又はガラス玉である球状の粒からなる。
耳ツボ刺激シールを、粒が耳の表面のツボに当たるように粘着剤４で貼る。
粒の先端を切って、その切断面を粘着剤４で樹脂シール１と接着させることで、粒が樹脂シール１から剥がれにくくできる。
【００１１】図２は、本考案の耳ツボ刺激シールの形状で、（ａ）は耳全体、（ｂ）は耳の部分型、（ｃ）は耳の一点型を示す。
図２（ａ）の耳全体の場合、耳ツボ刺激シールは、耳の外から見える耳介の大きさとし、耳全体の耳ツボの分布の位置にあわせて、多数の粒を配置する。
（ｂ）の耳の部分型は、耳全体を、例えば上部、中部、下部の形状にあわせた大きさの形状である。耳の上部、中部、下部にあった耳ツボの分布にあわせて、多数の粒を配置する。
（ｃ）の耳の一点型の場合は、一つの耳ツボ用で、複数の粒を備えることで、耳ツボを複数の箇所から刺激できるようにしている。耳ツボ刺激シールの貼る位置が耳ツボからずれても、多数の粒を備えているので刺激効果がある。
【００１２】図３は、人はすべて五行から成り立つとされている東洋医学の関係図である。人がもつ五行を利用して健康を促すとする。耳の中にあるツボを本考案の耳ツボ刺激シールで刺激することによりその耳ツボが意味する五行をより、耳ツボ刺激シールの粒の大きさや、配置させるとより有効的に作用できる。
東洋医学においての五行とツボの関係は、「木」は肝臓と胆臓を、「火」は心臓と小腸を、「土」は脾臓と胃を、「金」は肺と大腸を、「水」は腎臓と膀胱を示すとされている。
ツボは主に「経穴」と呼ばれ治療を施すためのポイントである。
経穴を連絡したものを「経絡」と呼びその中の気血（エネルギー）が滞りなく流れていれば、人は元気となるといわれている。
経絡は解剖学・生理学など現在の医学では物理的にも又現象も存在が認められていない。
しかし、東洋医学の診断法である。脉診をはじめ顔色、声量、腹診などから各経絡の虚・実など病的な変化を診断して、それぞれの経絡の五行穴と伝われる特別の働きをする経穴へ本治法と呼ばれる症状ごとの治療をして調整すると、ほとんどの病気で健康が取り戻せる。
相克とは、それぞれがそれぞれをやっつける関係のことを示しており、木→土→水→火→金→木  の順番に循環している。つまり、相性の悪い関係ということである。また、相生とは、それぞれがそれぞれを生み出す関係のことを示しており、木→火→土→金→水→木の順番に循環している。つまり、相性のよい関係ということである。
【産業上の利用可能性】
【００１３】耳ツボを長時間刺激できる耳の健康具を提供する。
【符号の説明】
【００１４】１    樹脂シール
２    天然石
３    接着剤
４    粘着剤
５    粒
【図１】
0003168645.tif 000003
【図２】
0003168645.tif 000004
【図３】
0003168645.tif 000005
(57)【要約】      （修正有）【課題】多数の桶を重ねて収納することより狭い場所で多数の桶を衛生的に収納可能にする手桶を提供する。【解決手段】着脱可能持ち手部と手桶本体が分離されることと、手桶本体内径を多重可能な大きさで形成することにより、狭い場所での多重収納が可能となる構造である。さらに、同上の手桶本体内部には、突起物を形成して他桶との空間を設けることにより容易に取外しが可能となる。加えて、桶を伏せて収納した場合には、重なり合う桶であっても空間を通して桶の内部の水切りや空気の流れによる乾燥も容易に進む。【選択図】図１
0003168647.tif 000002
【実用新案登録請求の範囲】
【請求項１】
着脱可能持ち手部と持ち手部受け開口部を有した構造の手桶である。
【請求項２】
手桶本体内部には、他桶が重なりあえる内径とそれを受け止める突起物が形成されている。他桶との空間を作り出すように形成された突起物を設けた請求項１記載の手桶。
【考案の詳細な説明】
【技術分野】
【０００１】  本発明は、霊園や墓所等で多重収納化を図った手桶に関する。
【背景技術】
【０００２】  従来の手桶を収納する場合には、１個体の大きさ×倍数の収納場所を必要としていた。
例えば、平面的に並べ置いて収納するもの。
或いは、棚を２段３段と立体的に収納するものもある。
よって、社寺や霊園等で保管する手桶の収納場所は広く面積を必要とする。【０００３】  それは、手桶の持つ一体化形状・構造によるものである。
【考案の概要】
【考案が解決しようとする課題】
【０００４】以上に述べた従来の手桶では、立体的に重ねる場合は桶そのものの高さ×倍数の高さが必要である。また、多数の桶を平面的に収納する場合にスペース（土地）を必要とする。
【課題を解決するための手段】
【０００５】本発明は、このような従来の構造が有していた問題を解決しようとするものであり、手桶本体持ち手支柱にＬ字等の差し込み口を設け、持ち手部材両端に突起物を有する着脱可能の持ち手を備えたものである。【０００６】また、桶本内部構造は、重ねあう場合の液体（水等）が上部内径と底部内径は、本体が重なりあえる範囲の大きさを有している形状である。【０００７】更に、本体が重なり合う接着部分には、突起状の構造物をもつ。着脱が容易なものにするために抵抗の少ない突起物とする。
この突起物の構造を備えることにより、多重収納時の本体同士の間に空間が生まれる。
よって、容易に着脱が可能になり、しかも、空気の流れが生じ、桶内部の残留水分の落ちと乾燥をも加速し得るものとなる。【０００８】着脱可能持ち手部を有し、桶本体の内部に突起物を有することにより多重着脱を容易にすると同時に本体内部の水きり乾燥等を加速する。
このような多重収納可能構造桶である。
【考案の効果】
【０００９】上述したように本発明の桶は、持ち手部を着脱可能にすることと本体内部に突起物を構成することにより、多数の桶を重ねて収納することより狭い場所で多数の桶を衛生的に収納可能にする効果を発揮するものである。
【図面の簡単な説明】
【００１０】
【図１】本発明の実施形態を示す持ち手部を取り付けた手桶の斜視図
【図２】同桶本体から持ち手部を外し平面図
【図３】同Ａ−Ａの断面図
【図４】同桶本体から持ち手部を外した側面図  左側面図はＬ字口が右側になる
【図５】同持ち手部正面図
【図６】同左右の持ち手支柱に持ち手部を取り付けた正面図
【図７】同持ち手部を取り付けた支柱の右側面図
【図８】同持ち手部を外して桶本体を重ねた断面図
【図９】同桶本体を重ねた断面図
【考案を実施するための形態】
【００１１】以下、本発明の実施の形態を図１〜図８に基づいて説明する。
【００１２】図においては、３は水を蓄える桶本体で、本体上部には着脱可能な持ち手部５の差し込み口形状４を設ける。
【００１３】桶本体３の内部には、突起１を有しており、重なり合う他の桶受け支持となる。
【００１４】突起１を本体内部に設けたことにより、重なり合う桶本体同士の間に空間ができる
【００１５】また、重なり合う桶をうける突起１の接する面をより少なくすることにより、重なりあう接点の摩擦抵抗値がより少なくなる。
【００１６】ここで、桶本体同士３の隙間が多く保たれて、重なり合う桶から容易に取り外すことができる。
【００１７】さらに、重なりあう桶本体３内部にあっても、空気の流れがより可能になる。よって水切りや乾燥が促進される。
【００１８】着脱可能な持ち手部５は、桶本体３上部に差し込み口４に合わせた形状２を有する。
持ち手部５の両端の形状２は、差し込み口４の形状と接する部分を密にする形状とする。
【図１】
0003168647.tif 000003
【図２】
0003168647.tif 000004
【図３】
0003168647.tif 000005
【図４】
0003168647.tif 000006
【図５】
0003168647.tif 000007
【図６】
0003168647.tif 000008
【図７】
0003168647.tif 000009
【図８】
0003168647.tif 000010
【図９】
0003168647.tif 000011
(57)【要約】      （修正有）【課題】手摺の設置工事に際しての支柱のスパンの変更や修正に対応可能な手摺支柱を提供する。【解決手段】横桟より太い口径の横桟導入パイプを支柱に取付ける。この横桟導入パイプに横桟を通す事で支柱に保持される。支柱は横桟に沿って左右に直立移動が可能になるので、支柱のスパンの変更にたやすく対応出来る。【選択図】図１
0003168650.tif 000002
【実用新案登録請求の範囲】
【請求項１】
手摺の支柱の側面に横桟より太い径の穴を貫通させて、その穴に手摺の横桟を導入するためのパイプ管を取付けそこを横桟が貫通するかたちで支柱が横桟を支える事が出来ることを特徴とする支柱。
【考案の詳細な説明】
【技術分野】
【０００１】本考案は通路、階段、ベランダ、建物の屋上等の手摺の工事の分野について支柱の改良をした考案である。
【背景技術】
【０００２】手摺工事は工事中において支柱のスパン変更と云う事態が発生しやすく、変更や修理の範囲が工事全体に影響を及ぼす事がしばしばある、それが原因で部材の交換、廃棄など原価コストのアップにつながる傾向がある。手摺の構成部材は支柱、横桟、笠木、基礎材等であり単純な物であるが、それを組立て製品にするには広い場所が必要である。製品が嵩張るので運送費が割高となる事などがある。
【考案の概要】
【考案が解決しようとする課題】
【０００３】手摺工事は一般的には建物本体の副次的なものとしての扱いされ易く、その為に本体の建築費の最終コストコントロールの対象にされがちである。従って工事の効率アップ、手摺支柱のスパンの変更工事や修理工事に際しての二重手間の  回避や、変更によって使用出来なくなった資材の破棄等の発生もできるだけ抑えて原価コストを下げることが重要である。
【課題を解決するための手段】
【０００４】従来の手摺支柱に改良を加えて支柱と横桟が交差する箇所の支柱の側面に横桟より太い径の穴をあけ横桟が貫通する様にパイプを取付けた構成にすると、支柱も横桟も直に接触はしていないので、共に左右に移動が出来る。従ってスパンの変更等は非常に楽になるし、長い横桟も定尺物が其のまま使えれば購入コストも抑えられるし、また改良した支柱、横桟、笠木、その他の物もパーツ化して管理する事ができる。
【考案の効果】
【０００５】本考案の特徴は手摺支柱と横桟が組合わされて手摺が構成されていてもまだ固定のビス止めは施工しないで置き工事の最終点検が宣告されるまでは、まだ支柱と横桟は左右に移動できるのでスパンの変更については最終最後まで対応が出来る構造になっている。
【図面の簡単な説明】
【０００６】
【図１】本考案の手摺の支柱と横桟の組合せ実施の斜視図である。
【図２】本考案の手摺の支柱部分の正面図である。
【図３】本考案の手摺の支柱を通して横桟が繋がる状態を示す正面図である。
【考案を実施するための形態】
【０００７】支柱が横桟と交差する箇所で支柱の側面に横桟より太い径の穴を横桟と同じ方向に開ける、ここに横桟を導入するパイプを取付ける。これで横桟はパイプを貫通しながら支柱と交差する。この部分で支柱と横桟は直に接触しないので支柱は左右に移動出来、横桟は左右に横すべりに移動できる。このスムースな動きが手摺工事のスパン変更や微妙な修正にも威力を発揮する。
【実施例】
【０００８】添付（図  １）によって実施例を説明する。１は手摺支柱である、本来、手摺は縦の支柱に横桟２と笠木３を組合わせただけの単純な構造物であるが、本考案では機能と美観を想定した上で横桟導入パイプ管４を支柱１に取付けた。この横桟導入パイプ管は図面での通り支柱毎に取付けてある。横桟はこのパイプの中で次々に支柱と交差しながら手摺を構成してゆく事が出来る。
【符号の説明】
【０００９】１      支柱
２      横桟
３      笠木
４      横桟導入パイプ管
５      笠木半受
６      ベースプレート
７      笠木半受止め皿ビス
８      横桟止めビス
【図１】
0003168650.tif 000003
【図２】
0003168650.tif 000004
【図３】
0003168650.tif 000005
(57)【要約】      （修正有）【課題】降雪地域にても所望の効果を発揮する駐車車両退出阻止装置を提供する。【解決手段】フラップ回動型の駐車車両退出阻止装置において、該装置下面にヒーター５を設けたことを特徴とする。【選択図】図２
0003168632.tif 000002
【実用新案登録請求の範囲】
【請求項１】
フラップ回動型の駐車車両退出阻止装置において、該装置下面にヒーターを設けたことを特徴とする駐車車両のヒーター付き退出阻止装置。
【請求項２】
ヒーターを面状ヒーターとしてなる請求項１記載の駐車車両のヒーター付き退出阻止装置。
【請求項３】
ヒーターに非透水性のヒーターカバーを覆設してなる請求項１または２記載の駐車車両のヒーター付き退出阻止装置。
【考案の詳細な説明】
【技術分野】
【０００１】  この考案は、フラップ回動方式による駐車車両退出阻止装置にヒーターを設けた、ヒーター付きの駐車車両退出阻止装置に関する。
【背景技術】
【０００２】  従来より、無人駐車場にて、フラップ回動型の駐車車両退出阻止装置が多用されているが、これにヒーターを設けたものは見あたらない。
【考案の開示】
【考案が解決しようとする課題】
【０００３】  都市部においては有料駐車場は必須的となっており、無人駐車場も多数存在する。
中でもコインパーキングとしてフラップ回動型が増えてきた。これは、整地面上に設置される装置で、車両の乗り入れをセンサーで感知してフラップが上方に回動するものである。このフラップを駐車車両のタイヤが乗り越えることができないため、利用者は所定料金を精算機に投入してフラップの下降を待ち、フラップが初期位置に至れば車のタイヤはこの装置を乗り越えて退出できるものである。このフラップ回動型のものは、設置の簡便性により多数利用されているのであるが、屋外設置が大半のため、降雪地域では以下の問題が発生している。
降雪は均等に降るために、このフラップ回動型装置上にも堆積して、この装置の大半が雪に埋もれてしまうことになる。すると、凍結による動作不備やフラップの役割が果たせなくなって車両退出阻止効果が阻害されることになる。これを防ぐために、ロードヒーティング等を行う手段もあるが、設置コスト高、ランニングコスト高、メンテナンス等の理由にて一般的ではなく、より好ましい手段が望まれているのが現状である。
本考案は、以上のような従来からのフラップ回動型の駐車車両退出阻止装置に関わる課題を解決するために考案されたもので、面状ヒーターを付設することにて上記の問題を解決できる、新規かつ有用なる手段を提供することを目的として開発されたものである。
【課題を解決するための手段】
【０００４】  課題を解決する手段として本案は以下の構成とした。
すなわち、フラップ回動型の駐車車両退出阻止装置において、該装置下面にヒーターを設ける。本案は以上の構成よりなる駐車車両のヒーター付き退出阻止装置である。
【考案の効果】
【０００５】  本案によれば、フラップ回動型の駐車車両退出阻止装置下面にヒーターを設けたので、従来のような低温下による凍結や降雪影響による作動不良が回避され、非降雪地域同様に所定の機能を発揮することができる、有用なる手段を得ることができる。また、従来品に付設して利用できるために、その利用範囲も広く、降雪地域の上記装置設置者に大きな恩恵をもたらすことができる。
【考案を実施するための最良の形態】
【０００６】  以下、本考案の実施形態について説明する。
図において、Ａは市販の駐車車両退出阻止装置である。（電源コード等は省略表現した）
この阻止装置は整地面としてのコンクリート面上にアンカーボルト等により複数個が整列して固定設置される。１は金属製中空のケースで、モーターおよびセンサー等が内蔵されている。２がガイド部で、車両乗り入れ時にタイヤが通過する部分である。３はフラップで、平板状物体であって軸４の側面に固着される。
この軸はその両端は適宜支持部材にて所定範囲内にて回動可能に位置するとともに、前記モーターに接続されている。５はケース下面に粘着される市販の面状ヒーターで、無機系樹脂と導電性カーボンからなる導電性樹脂を絶縁フィルム間に反応硬化させて形成される。６はヒーターカバーで、ポリエチレンフォームによるシート状物体であり、ヒーターを覆うようにケース下面に粘着される非透水性部材である。
本案使用については、従来のフラップ回動型駐車車両退出阻止装置同様に設置して使用する。このとき、既述のヒーターに通電する。この通電にてヒーターは発熱し、この発熱にてケース等の温度は上昇して本装置およびその周囲は加温にて融雪されるので、積雪は回避されて装置動作不良とならずに所望の効果を得ることができる。
フラップ回動型の駐車車両退出阻止装置としては、例えば特開２００５−１０５５３５にて示されるように、モーターを内蔵し、このモーターにてフラップの回動がなされるとともに、精算機へのコイン投入にてこのフラップ降下回動による車両退出阻止が解除されるものがあり、本案はこれら一般に利用されている装置に加温手段を設けたものであり、融雪効果にて所定の機能を発揮するよう構成したものである。なお、既述の例では面状ヒーターを用いたが、所定の発熱量が得られるものであれば、他形式のヒーターを用いてもよいが、耐久性および耐水性に富むものが望ましい。また、磁気を発生させるヒーターでは、本装置内蔵のセンサーが誤検知するので、磁気を極力発生しないヒーターが必要である。
以上説明したように、本案は市販のフラップ回動型駐車車両退出阻止装置の加温手段を有して、降雪低温下の影響を避けて、常に有効な機能を発揮できる、有用なる手段を得ることができ、路面に対しても部分加温のためにそのランニングコスト面にても有利となる駐車車両の退出阻止装置を得ることができる。
【図面の簡単な説明】
【０００７】
【図１】  本考案の平面図
【図２】  本考案の正面図
【図３】  本考案の底面図
【図４】  本考案の機能拡大説明図（右側面視）
【図５】  本考案の使用説明図
【符号の説明】
【０００８】１  ケース
２  ガイド部
３  フラップ
４  軸
５  面状ヒーター
６  ヒーターカバー
Ａ  駐車車両退出阻止装置
【図１】
0003168632.tif 000003
【図２】
0003168632.tif 000004
【図３】
0003168632.tif 000005
【図４】
0003168632.tif 000006
【図５】
0003168632.tif 000007
(57)【要約】      （修正有）【課題】食器、茶碗等において、持つ手が滑べつたり、口が当たる所に手や、指が触れることがない形状を有した食器を提供する。【解決手段】茶碗等の食器１の開口上縁部に複数の窪み２を対抗的に設ける。茶碗等の食器１の糸尻５の底縁部に複数の切り欠き４を設ける。食器を使用するときは、茶碗１の開口上縁部３の窪み２と糸尻５底縁部の切り欠き４に指を掛け手持つ。開口上縁部３の窪み２と対抗する窪みの間の上縁部が口を付ける部分になる。従って、口をつける開口上縁部３と指先で保持する場所である窪み２の位置が重なることがなく、衛生的である。【選択図】図１
0003168637.tif 000002
【実用新案登録請求の範囲】
【請求項１】
茶椀等の食器の開口上縁部に複数の指掛け用の窪みを対向的に設け、糸尻の底縁部にも複数の指掛け用切り欠きを設けたことを特徴とする安定保持できる食器。
【考案の詳細な説明】
【技術分野】
【０００１】  本考案は、食器を使う時に、持つ手が食器から落ちたり、すべったりするのを防止するためのものである。
【背景技術】
【０００２】  従来、食器の開口上縁部に指掛け用及び口元用切り欠きをつけたもの、糸尻底部縁に切り欠きをつけたものはある。
【先行技術文献】
【特許文献】
【０００３】
【特許文献１】  特開２００１−４６２０６号  公報
【特許文献２】  登録実用新案第３０３９６４７号  公報
【特許文献３】  実開平１−１７８７５９号  公報
【考案の概要】
【考案が解決しょうとする課題】
【０００４】  飲食する時に、ちょっとした衝撃やはずみで、食器が手からはずれてしまうのを防止するのに、  食器の上縁部に指掛け用の切り欠きを設けるだけでは、指先の指紋部に接触するのが食器縁の短い線状にすぎないために、保持安定性に欠ける。開口内に食材を入れて移動するときや、食するとき、丼などの食器に接する指が上部下部に両手で持てるような、切り欠きや窪みなどがない。また汁などを呑むときに、拇指をいれた凹みから熱い汁がこぼれる。
本考案は、以上の問題点を解決するためになされたものである。
【課題を解決するための手段】
【０００５】  本考案は、お猪口、湯呑、皿、茶碗、丼等の食器の開口上縁部に、複数の指掛け用の窪みを対抗的に設け、糸尻の底縁部にも同様に複数の指掛け用切り欠きを設けることにより、問題を解決している。
以上の構成よりなる安定保持できる食器。
【考案の効果】
【０００６】  上述のように、（イ）食器の開口上縁部に設けた窪みの面全体に、指先指紋部の丸くふくらんだ面全体がすっぽり収まることにより、更に糸尻底縁部に設けた切り欠きに掛かった指先には、食器の重量がほどよくめりこむことによって食器の保持安定性が増した。（ロ）口が接する所には、手などが触れず、衛生的で汚れなどの心配もなくなり、嫌な思いもしないで食することができる。
【図面の簡単な説明】
【０００７】
【図１】  本考案の安定保持できる食器の斜視図である。
【図２】  本食器の側面図である。
【考案を実施するための形態】
【０００８】  本考案の、安定保持できる食器の形態につき説明すると（１）は茶碗等の食器を示しており、その開口上縁部に複数の窪み（２）を対抗的に設ける。（５）は茶碗（１）等の食器（１）の糸尻であり、その底縁部に複数の切り欠き（４）を設ける。
【実施例】
【０００９】  以下、添付図面に従って実施例を説明する。【００１０】  本考案は以上のような構造であるので、本考案の食器を使用するときは、茶碗（１）の開口上縁部（３）の窪み（２）と糸尻（５）底縁部の切り欠き（４）に指を掛け手持つ。開口上縁部（３）の窪み（２）と対抗する窪みの間の上縁部が口を付ける部分になる。【００１１】  従って、口をつける開口上縁部（３）と指先で保持する場所である窪み（２）の位置が重なることがなく、衛生的である。【００１２】  糸尻（５）の切り欠き（４）は、茶碗（１）を持つ指先の掛かり具合を安定させるために、２か所以上あれば良い。【００１３】  また図２に示す通り、丼などの大きな器を両手で持ち、汁などを飲むに際しては、茶碗（１）の開口上縁部（３）の窪み（２）が開口上縁部（３）の高さと同じになしたので、窪み（２）から汁がこぼれることもない。
【符号の説明】
【００１４】（１）    茶碗等の食器
（２）    窪み
（３）    開口上縁部
（４）    切り欠き
（５）    糸尻
【図１】
0003168637.tif 000003
【図２】
0003168637.tif 000004
(57)【要約】      （修正有）【課題】麺打ちにおいて麺棒の太さに関係なく簡単に取り付け出来、いろいろな麺の厚みに対応して麺生地を均一に簡単に延ばすことができる麺棒用の麺生地延ばし補助具を提供する。【解決手段】麺の太さに合った線径の弾性を有する樹脂の丸棒を２重コイル状のリング１に成型することで麺棒２の太さに関係なくリング径を広げて麺棒の両端に取り付け出来、麺棒と麺台の間にリングによる隙間ができ、麺生地が一定の厚みに延ばすことができるようにする。【選択図】図４
0003168636.tif 000002
【実用新案登録請求の範囲】
【請求項１】
麺生地の厚みを均一に延ばすために麺の太さに応じた０．５ｍｍ〜５．０ｍｍ線径の弾性を有する樹脂棒を２０ｍｍ〜２５ｍｍの任意の内径で２重コイル状の円形に成型した形状を特徴とする麺棒の両端に装着使用する麺棒用補助具。
【考案の詳細な説明】
【技術分野】
【０００１】この考案は、弾性を有する樹脂棒をコイル状の２重リングにすることで麺棒の太さに関係なく麺棒の両端に装着でき簡単に麺生地を均一の厚みに延ばすことができるようにする麺棒用の麺生地延ばし補助具に関するものである。
【背景技術】
【０００２】麺棒で麺生地の厚みを均一に延ばすものに麺棒の両端にキャップを装着するものや麺棒の両端にローラーが装着されているものなどがあるが、延ばす麺の種類に応じて麺生地の厚みを変えることが出来ず、補助具を装着できる麺棒の直径も限られていた。
【考案の概要】
【考案が解決しようとする課題】
【０００３】麺打ちにおいて使用する麺棒の太さに関係なく簡単に取り付け出来、いろいろな麺の厚みに対応して麺生地を均一に簡単に延ばすことができる麺棒用の麺生地延ばし補助具を得るにあたる。
【課題を解決するための手段】
【０００４】麺の太さに合った線径の弾性を有する樹脂の丸棒を２重コイル状のリングに成型することで麺棒の太さに関係なくリング径を広げて麺棒の両端に取り付け出来、麺棒と麺台の間にリングによる隙間ができ、麺生地が一定の厚みに延ばすことができるようにするものである。
【考案の効果】
【０００５】麺の種類に合った線径の２重コイルリングを麺棒の両端に取り付けることで麺棒が線径以下に押しつけられることなく線径の厚みに麺生地を均一に延ばすことができる。【０００６】弾性を有する樹脂リングを２重コイル状にすることでリングの大きさが簡単に広げられるので麺棒の直径に関わりなく麺の太さに対応して簡単にリングを取り換えて使用できる。
【考案を実施するための形態】
【０００７】以下、本考案を実施するための形態について説明する。
延ばす生地の種類に応じた厚みと同じ線径の弾性を有する樹脂棒を内径２０〜２５ｍｍの任意の内径で２重コイルのリング形状に成型したものである。本考案は、以上のような構造である。
【図面の簡単な説明】
【０００８】
【図１】    本考案の上面図である。
【図２】    本考案の側面図である。
【図３】    本考案の斜視図である。
【図４】    本考案を麺棒に取り付けた装着図である。
【符号の説明】
【０００９】１  樹脂２重コイルリング
２  麺棒
【図１】
0003168636.tif 000003
【図２】
0003168636.tif 000004
【図３】
0003168636.tif 000005
【図４】
0003168636.tif 000006
(57)【要約】      （修正有）【課題】ロウソク点灯時に使用する、軽量でかつ設置安定性に優れた耐火性のあるホルダ付携帯型風よけ具を提供する。【解決手段】風よけ具は、ステンレス鋼板など不燃物からなる長方形の板１を、その長端縁をアルミテープなど変形自在な材料からなる留め具４で、貼り合わせて作製する。さらに、ロウソクの周囲を囲うように、上記風よけ具を上から見て正方形になるようにセットする。リングホルダー２及びホルダー留め具３を、上記風よけ具の側面に取り付ける。リングホルダー２に水を入れたペットボトル５を着脱可能に取り付ける。ペットボトル５は、風よけ具の設置安定性を増すと共に、中の水は消火・防火に寄与する。【選択図】図１
0003168188.tif 000002
【実用新案登録請求の範囲】
【請求項１】
不燃性の板を、留め具にて端面を４枚貼り合わせて折り畳み可能とした囲いを形成し、前記板の少なくとも一枚の側面に立ち上がり可能となるようなホルダーを設けてなることを特徴とするホルダー付き携帯型風よけ具
【考案の詳細な説明】
【技術分野】
【０００１】
本考案は、ロウソク使用時の風よけ並びに消火に関するものである。
【背景技術】
【０００２】
家庭用手持ち花火を使用している時、屋外でロウソクの火が風により頻繁に消えてしまい、何度も点火しなければならなかった。また消火用の水もバケツに汲んでいく等煩雑であった。
【先行技術文献】
【特許文献】
【０００３】
【特許文献１】特開２００４−３５６００８号公報
【特許文献２】特開平７−３０１０２７号公報
【特許文献３】実用新案登録第３１５８７９５号公報
【特許文献４】実用新案登録第３１４８５００号公報
【考案の概要】
【考案が解決しようとする課題】
【０００４】
屋外でのロウソクの使用は、お墓参りや手持ち花火の使用など一時的なケースが多いが、従来の風よけ具は備え付け型で携帯しにくく、不使用時に収納もしにくい問題点があった。また、火の使用にあたっては、花火使用後の消火や、万が一別のものに燃え広がるのを防ぐ目的で、水の存在が必要であった。
【課題を解決するための手段】
【０００５】
本考案は、軽量で不燃性の板を４枚、端部を貼り合せて使用することで、携帯しやすく、折り畳んで収納することを可能とする。さらに、軽量素材であるが故、強風で吹き飛ばされる可能性があり、それを回避するために、板の一面もしくは隣接する二面にホルダーを留め具で接着し、そこへ水を入れた容器を装着することにより囲いの安定が得られ、消火・防火の目的で水を使用することが可能となった。
【考案の効果】
【０００６】
ロウソクの燃焼により安定した点火のための使用持続効果が得られ、同時に使用する容器の水も有効に使用できる。個人が手軽に携帯でき、オフシーズンには場所を取らずに収納できる。
【図面の簡単な説明】
【０００７】
【図１】ホルダーに容器を装着した後の実際の使用方法を示した説明図である。
【図２】図１の一部切欠断面図である。
【図３】本体のみの立体図である。
【図４】組立前・収納前の段階を表した図である。
【図５】携帯・収納する際の形態を表した図である。
【考案を実施するための形態】
【０００８】
軽量で不燃性の板で四方を囲い、不使用時には一面に折りたためるように形成する。ホルダーには水を入れた筒状の容器が装着できるようにリング状の構造物を留め具で留め、不使用時にはより平面となるよう可動できるものとする。
【実施例】
【０００９】
以下、添付図面に従って作り方の一実施例を説明する。板１としては、不燃性材料からなればよい。例えば金属板を用いればよい。具体的には例えばステンレス鋼板を用いることで軽量感が得られ、ロウソク６のススで汚れても簡単に洗い流すことができ清潔に保つことが可能となる。
その板の端部を貼り合せるもの４としては、耐熱性があり、変形自在で頑丈な材料、例えばアルミテープやガムテープを組み合わせた物を用いればよい。
ホルダー２またその留め具３としては、同様に耐熱性材料からなればよい。
留め具の固定の仕方としては、例えばスポット溶接、リベット、ネジなどがある。
ホルダーの位置としては、水を入れた容器５、例えばペットボトルが安定に起立できる位置、容器の縦中央辺りに付ければよい。二面にホルダーを付ける場合は、隣接する二面に付けることにより、よりコンパクトに収納が可能となる。
【００１０】
以下、添付図面に従って使い方の一実施例を説明する。ロウソク６を設置し、囲うように風よけ具１を上から見て正方形にセットする。リングホルダー２を面に対して立ち上げ、水を入れた容器５を装着する。
使用後は、四面に組み立てた板を一面に折り畳む。ホルダーも閉じて平面とする。
【産業上の利用可能性】
【００１１】
手持ち花火使用時のロウソクの火の風よけ及び花火の消火に利用できる。
【００１２】
お墓参り時のロウソクの火の風よけ及び献水又は防火の目的で利用できる。
【符号の説明】
【００１３】
１  不燃性の板
２  ホルダー
３  ホルダー留め具
４  板の留め具
５  水の入った容器
６  ロウソク
【図１】
0003168188.tif 000003
【図２】
0003168188.tif 000004
【図３】
0003168188.tif 000005
【図４】
0003168188.tif 000006
【図５】
0003168188.tif 000007
(57)【要約】      （修正有）【課題】施工工数が少なく施工場所も制限されない風船電飾おもちゃを提供する。【解決手段】風船電飾おもちゃ１は、浮揚性ガスを封入する風船２と、風船２に接続されるとともに複数の装飾電灯３が設けられた電線４と、電線４に接続された電源電池５と、を備える。風船２は、ゴムや樹脂などの材料から構成され、内部に空気より軽いヘリウムガスなどの浮揚性ガスが充填されて封止される。電線４には、複数の装飾電灯３が直列又は並列に接続され、その両端が電源電池５の各極に接続されている。この電線４は、浮揚性ガスが封入された風船２の持ち手として機能し、装飾電灯３は電飾効果を発揮する。さらに、電源電池５は、装飾電灯の電源としての機能以外に、浮揚性ガスが封入された風船３の重りとしての機能をも司る。【選択図】図１
0003168154.tif 000002
【実用新案登録請求の範囲】
【請求項１】
浮揚性ガスを封入する風船と、
前記風船に接続されるとともに複数の装飾電灯が接続された電線と、
前記電線を介して前記装飾電灯に電力を供給する電源電池と、を備えた風船電飾おもちゃ。
【考案の詳細な説明】
【技術分野】
【０００１】
本考案は、風船の持ち手に電飾効果を付与するとともに装飾電灯の電源を風船の重りに使用する風船電飾おもちゃに関するものである。
【背景技術】
【０００２】
装飾電灯を用いた電飾おもちゃは、ホテルの宴会場やレストランなどで開催される各種パーティーにおいて会場の雰囲気を盛り上げるのに効果を発揮する。しかしながら、この種の電飾おもちゃは、会場の壁や天井に電線を固定するなどの施工が必要であり、施工工数のみならず、施工場所も壁や天井に制限されるという問題がある。
【先行技術文献】
【特許文献】
【０００３】
【特許文献１】実用新案登録第３０６７２６３号公報
【考案の概要】
【考案が解決しようとする課題】
【０００４】
本考案が解決しようとする課題は、施工工数が少なく施工場所も制限されない風船電飾おもちゃを提供することである。
【課題を解決するための手段】
【０００５】
本考案は、浮揚性ガスを封入する風船と、前記風船に接続されるとともに複数の装飾電灯が接続された電線と、前記電線を介して前記装飾電灯に電力を供給する電源電池とを備えた風船電飾おもちゃにより、上記課題を解決する。
【考案の効果】
【０００６】
本考案によれば、浮揚性風船の持ち手に電飾電灯が設けられた電線を利用したので、施工工数が少なく施工場所にも制限されずに、風船が空中に浮遊する情景によって宴会場に和やかな雰囲気を醸し出すことができる。また、重量のある電源電池が浮揚性のある風船の重りになるので風船を繋ぎ止めることもできる。
【図面の簡単な説明】
【０００７】
【図１】本考案の一実施の形態に係る風船電飾おもちゃを示す斜視図である。
【考案を実施するための形態】
【０００８】
本考案に係る風船電飾おもちゃ１は、宴会場などに装飾用に飾られるおもちゃであり、浮揚性ガスを封入する風船２と、風船２に接続されるとともに複数の装飾電灯３が設けられた電線４と、電線４に接続された電源電池５と、を備える。
【０００９】
風船２は、ゴムや樹脂などの材料から構成され、内部に空気より軽いヘリウムガスなどの浮揚性ガスが充填されて封止される。封止部の位置は特に限定されず適宜の位置に設けることができる。
【００１０】
電線４には、複数の装飾電灯３が直列又は並列に接続され、その両端が電源電池５の各極に接続されている。なお、詳細な図示は省略するが、電源電池５に電源のＯＮ／ＯＦＦスイッチを設けてもよい。
【００１１】
この電線４は、浮揚性ガスが封入された風船２の持ち手として機能し、装飾電灯３は電飾効果を発揮する。さらに、電源電池５は、装飾電灯の電源としての機能以外に、浮揚性ガスが封入された風船３の重りとしての機能をも司る。
【００１２】
本考案によれば、電飾効果を発揮する装飾電灯３及び電線４を風船２の持ち手に設けたので、これらを壁や天井に固定するなどの施工工数が不要となる。また、電源電池５を使用するので、商用コンセントからの電線の引き廻しといった制限もなく施工場所の自由度が高くなる。さらに、電源電池５を風船の重りとして利用しているので、風船を固定する必要もなく、適宜、適所に移動することができる。
【符号の説明】
【００１３】
１…風船電飾おもちゃ
２…風船
３…装飾電灯
４…電線
５…電源電池
【図１】
0003168154.tif 000003
(57)【要約】      （修正有） 【課題】犯罪を防止すると共に、事件の早期解決を促し、さらに衛生管理を行うことができる多機能付き金銭登録機を提供する。【解決手段】金銭登録機の売上金額表示器にＣＣＤカメラ・ストロボライト・サイレン・マイクを配設し、上面部に非常用ボタンを設ける。又、金銭収納箱内部の上部面に、紫外線殺菌ライトを設ける。【選択図】図４
0003168159.tif 000002
【実用新案登録請求の範囲】
【請求項１】
金銭収納箱を有し売上金額を打鍵することにより、内蔵する計算機に金額を記録・登
録をして売上明細書の発行や集計等々を行うことができる複数の機能を有する金銭登録
機の売上金額表示器の内部に、ＣＣＤカメラ・ストロボライト・サイレン・マイクを配
設し、前記登録機の上面部に非常用ボタンを設け、該非常用ボタンを押すことで前記Ｃ
ＣＤカメラ・ストロボライト・サイレン・マイクが同時に作動する多機能付き金銭登録
機。
【請求項２】
前記金銭登録機の金銭収納箱内部の上部面に紫外線殺菌ライトを着管し、該収納箱後
部に紫外線ライト用スイッチを設け、前記収納箱を閉めた状態で前記スイッチを押すことで電源が入り紫外線照射を行うことにより、消毒・殺菌が可能になることを特徴とする請求項１記載の多機能付き金銭登録機。
【考案の詳細な説明】
【技術分野】
【０００１】
本考案は、複数の防犯装置と紫外線殺菌ライトを備えた金銭登録機に関する。
【背景技術】
【０００２】
売上金額を打鍵することにより、内蔵する計算機に金額を記録・登録をして、売上明
細書の発行や集計等々の複数の機能を有する金銭登録機は従来より知られており、又、
医療用具や理美容用具などの消毒・殺菌のための紫外線殺菌箱は、従来より知られてい
る。
【先行技術文献】
【特許文献】
【０００３】
【特許文献１】特開２００５−３５２８７３
【考案の概要】
【考案が解決しようとする課題】
【０００４】
しかしながら、従来品の金銭登録機は収納保管する金銭を、保全する手段を持つもの
ではなかった。又、前記登録機の金銭収納箱は人の手から手へと巡回する貨幣を保管す
るので、不衛生であり、細菌繁殖の可能性もあり、種々の感染症に繋がる危険性も考え
られるものである。
【課題を解決するための手段】
【０００５】
金銭登録機の売上金額表示器の内部に、人物を正面から撮影するCCDカメラとストロ
ボライト・非常用サイレン・緊急事態の会話音を警察への通報電話に直結するマイクを
配設し、前記登録機の上面部に設けた非常用ボタンを押すことによって、全機能が同時
に作動する。又、金銭収納箱の上部面に紫外線ライト２本を着設し、紫外線殺菌ライト
用スイッチを該収納箱後部に設け、前記収納箱を閉めた状態で前記スイッチが作動して
電源が入り紫外線照射が行なわれ、消毒・殺菌が可能になるものでこれにより上記課題
を解決するものである。
【考案の効果】
【０００６】
本考案に係る多機能付き金銭登録機は、内設したＣＣＤカメラ・ストロボライト・サ
イレン・マイクにより前記登録機上面部の非常用ボタンを押すと同時に警察への通報電
話を発信し、マイク音により状況会話が送信され、非常サイレンが鳴り、ストロボライ
トが発光し、ＣＣＤカメラによる撮影が行われるもので、事件の早期解決と犯罪防止の
ために有用なものである。又、金銭収納箱内は紫外線ライトの照射により、消毒・殺菌
が実行され、長時間照射ではオゾン発生により効果が増加されるものである。
【図面の簡単な説明】
【０００７】
【図１】本考案に係る正面図である。
【図２】本考案に係る背面図である。
【図３】本考案に係る平面図である。
【図４】本考案に係る図３におけるＡ−Ａ部の断面図である。
【図５】本考案に係る図３におけるＢ−Ｂ部の断面図である。
【図６】本考案に係る図１におけるＣ−Ｃ部の断面図である。
【図７】本考案に係る図１におけるＤ−Ｄ部の断面図である。
【考案を実施するための形態】
【０００８】
図１、図２に示すように売上を打鍵することにより、内蔵する計算機に金額を記録・
登録をして売上明細書の発行や集計等々の複数の機能を有する金銭登録機５の客用表示
器７の裏側立脚部上部に店員側マイク３−３−２と前記表示器７枠部分の表示画面の上
中央部にストロボライト３−４、右部分にサイレン３−５、前記表示画面右下部分に客
側マイク３−３−１、左部分にＣＣＤカメラ３−２を配設し、前記登録機５上面部の鍵
盤の右部分に非常用ボタン１−２を設ける。又、店用表示画面８の右下部分に既存のモ
ードキー９−２が設けられている。
【０００９】
図３、図４、図５に示すように、前記表示器７内部に上中央部にストロボライト３−
４、右部分にサイレン３−５中心部に店員側マイク３−３−２、右下部分に客側マイク
３−３−１、左部分にＣＣＤカメラ３−２を配設し、前記登録機５の本体内部にＨＤＤ
内蔵制御装置３−１を内設し、前記表示器７に接続する。又、電源分配器２−２を内設
し、前記登録機５の右側面に緊急通報電話用電話線１−１、１００Ｖ電源プラグ２−１
を突出する形に設ける。前記登録機５の下部の金銭収納箱６の上部面に紫外線殺菌ライ
ト用安定器４−２、及び紫外線殺菌ライト４−４を着管するための紫外線殺菌ライト用
ソケット４−３を設け、又、前記収納箱６後部に紫外線殺菌ライト用スイッチ４−１を
設ける。
【００１０】
図６、図７に示すように、前記登録機５の右側面に突出する形で緊急通報電話用電話
線１−１と前記電源プラグ２−１を配線し、前記分配器、２−２は前記制御装置３−１、
前記非常用ボタン１−２、前記殺菌ライト用安定器４−２に既存金銭登録機用電源９−
１からモードキー９−２に接続される。
【００１１】
上記工程により、完成した多機能付き金銭登録機は緊急時に非常用ボタン１−２を押
すことで、前記ＣＣＤカメラ３−２・ストロボライト３−４・サイレン３−５・マイク
３−３−１・３−３−２が同時に一瞬で作動し、犯罪者に警告を発すると共に、警察へ
の緊急通報で早期の事件解決を促すことができ、又、前記収納箱６内は紫外線殺菌ライ
ト４−４による消毒・殺菌が行なわれることにより、衛生管理を実現するものである。
【符号の説明】
【００１２】
１−１  緊急通報電話用電話線
１−２  非常用ボタン
２−１  １００Ｖ電源プラグ
２−２  電源分配器
３−１  ＨＤＤ内蔵制御装置
３−２  ＣＣＤカメラ
３−３−１客側マイク
３−３−２店員側マイク
３−４  ストロボライト
３−５  サイレン
４−１  紫外線殺菌ライト用スイッチ
４−２  紫外線殺菌ライト用安定器
４−３  紫外線殺菌ライト用ソケット
４−４  紫外線殺菌ライト
５      金銭登録機
６      金銭収納箱
７      客用表示器
８      店用表示画面
９−１  既存金銭登録機用電源
９−２  モードキー
【図１】
0003168159.tif 000003
【図２】
0003168159.tif 000004
【図３】
0003168159.tif 000005
【図４】
0003168159.tif 000006
【図５】
0003168159.tif 000007
【図６】
0003168159.tif 000008
【図７】
0003168159.tif 000009